(57)【要約】【課題】送信装置に対する高精度な線形化制御を維持しながらも、小型化・低消費電力化・高受信感度化を図ることができる無線通信装置を提供する。【解決手段】アンテナ１０５を送信装置１０１側と受信装置１０２側のいずれか一方に切り替える送受信切替部１０６を介して漏洩する送信漏洩信号Ｔ２を用いて、この信号を受信装置１０２の復調機能で復調させ、復調後の送信漏洩信号Ｔ２に基づいて送信装置１０１の線形化制御を行う。これにより、送信装置の送信信号の一部を分岐させる信号パス分岐装置及び信号パス分岐装置で分岐された送信信号の一部を受信装置に入力する信号パス切替装置を設けることなく、送信装置の線形化制御を行うことが可能となる。【選択図】      図１
2004221862.tif 000002
【特許請求の範囲】
【請求項１】
送信装置と受信装置で同一周波数を使用する無線通信方式を採用した無線通信装置において、アンテナを送信装置側と受信装置側のいずれか一方に切り替える送受信切替手段と、前記送信装置の線形化制御を行う送信信号制御手段と、送信時に前記送受信切替手段を介して漏洩する送信信号を前記受信装置が復調することで得られた復調信号を前記送信信号制御手段に入力する漏洩信号入力手段とを具備し、前記送信信号制御手段は、前記漏洩信号入力手段より入力された送信漏洩信号に基づいて前記送信装置の線形化制御を行うことを特徴とする無線通信装置。
【請求項２】
請求項１に記載の無線通信装置を具備することを特徴とする移動局。
【請求項３】
請求項１に記載の無線通信装置を具備することを特徴とする基地局。
【請求項４】
送信装置と受信装置で同一周波数を使用する無線通信装置における前記送信装置の線形化制御を行う無線通信方法であって、アンテナを送信側と受信側のいずれか一方に切り替える送受信切替部を介して漏洩する送信漏洩信号を前記受信装置にて復調させ、復調後の送信漏洩信号に基づいて前記送信装置の線形化制御を行うことを特徴とする無線通信方法。
【発明の詳細な説明】
【０００１】
【発明の属する技術分野】
本発明は、時分割多重（ＴＤＭＡ：Ｔｉｍｅ  Ｄｉｖｉｓｉｏｎ  Ｍｕｌｔｉｐｌｅ  Ａｃｃｅｓｓ）／時分割二重化（ＴＤＤ：Ｔｉｍｅ  Ｄｉｖｉｓｉｏｎ  Ｄｕｐｌｅｘ）方式を採用した無線通信装置に関し、特に、送信信号をフィードバックして送信装置の線形化制御を行う機能を備えた無線通信装置に関する。
【０００２】
【従来の技術】
従来、時分割多重／時分割二重化方式を採用した無線通信装置になかには、送信装置と受信装置で同一周波数を使用し、また送信時には受信装置を使用しないことに着眼して、送信時に送信装置の送信信号の一部を受信装置で復調させて、得られた復調信号で送信装置を構成する電力増幅器の線形化制御を行うようにしたものがある（例えば、特許文献１参照）。
【０００３】
【特許文献１】
特開平０６−２６８５５０号公報（第３頁、第４頁、図１）
【０００４】
【発明が解決しようとする課題】
しかしながら、従来の無線通信装置においては、送信装置の送信信号の一部を分岐させるための信号パス分岐装置の通過損失を補う目的で送信装置の出力電力を増加させるようにしているため、その分、消費電力が増加して、例えば無線通信装置をバッテリ駆動した場合に１回の充電で使用できる時間が短くなるという問題がある。
【０００５】
また、信号パス分岐装置で分岐させた送信信号の一部を受信装置に入力するための信号パス切替装置（特許文献１での第１の信号パス切替装置）の通過損失によって受信感度が劣化するという問題もある。
【０００６】
また、受信装置の復調機能を使用することから、専用の復調機能を持つ必要が無い利点がある反面、送信装置の送信信号の一部を分岐して受信装置側に戻す構成を採る分、装置の小型化が困難であるという問題もある。
【０００７】
本発明は係る点に鑑みてなされたものであり、送信装置に対する高精度な線形化制御を維持しながらも、小型化・低消費電力化・高受信感度化を図ることができる無線通信装置を提供することを目的とする。
【０００８】
【課題を解決するための手段】
請求項１に係る発明の無線通信装置は、送信装置と受信装置で同一周波数を使用する無線通信方式を採用した無線通信装置において、アンテナを送信装置側と受信装置側のいずれか一方に切り替える送受信切替手段と、前記送信装置の線形化制御を行う送信信号制御手段と、送信時に前記送受信切替手段を介して漏洩する送信信号を前記受信装置が復調することで得られた復調信号を前記送信信号制御手段に入力する漏洩信号入力手段とを具備し、前記送信信号制御手段は、前記漏洩信号入力手段より入力された送信漏洩信号に基づいて前記送信装置の線形化制御を行う構成を採る。
【０００９】
この構成によれば、アンテナを送信装置側と受信装置側のいずれか一方に切り替える送受信切替手段を介して漏洩する送信漏洩信号を受信装置の復調機能で復調させ、復調後の送信漏洩信号に基づいて送信装置の線形化制御を行う。
したがって、従来必要とした送信装置の送信信号の一部を分岐させる信号パス分岐装置及び信号パス分岐装置で分岐された送信信号の一部を受信装置に入力する信号パス切替装置を必要とすることなく、送信装置の線形化制御を行うことができるので、送信装置に対する高精度な線形化制御を維持しつつ、小型化・低消費電力化・高受信感度化が図れる。
【００１０】
請求項２に係る発明の移動局は、請求項１に係る発明の無線通信装置を具備する構成を採る。
【００１１】
この構成によれば、送信装置に対する高精度な線形化制御を可能としながらも、小型化・低消費電力化・高受信感度化が可能な移動局を提供することができる。
【００１２】
請求項３に係る発明の基地局は、請求項１に係る発明の無線通信装置を具備する構成を採る。
【００１３】
この構成によれば、送信装置に対する高精度な線形化制御を可能としながらも、小型化・低消費電力化・高受信感度化が可能な基地局を提供することができる。
【００１４】
請求項４に係る発明の無線通信方法は、送信装置と受信装置で同一周波数を使用する無線通信装置における前記送信装置の線形化制御を行う無線通信方法であって、アンテナを送信側と受信側のいずれか一方に切り替える送受信切替部を介して漏洩する送信漏洩信号を前記受信装置にて復調させ、復調後の送信漏洩信号に基づいて前記送信装置の線形化制御を行う。
【００１５】
この方法によれば、アンテナを送信装置側と受信装置側のいずれか一方に切り替える送受信切替部を介して漏洩する送信漏洩信号を受信装置の復調機能で復調させ、復調後の送信漏洩信号に基づいて送信装置の線形化制御を行う。
したがって、送信装置の送信信号の一部を分岐させる信号パス分岐装置及び信号パス分岐装置で分岐された送信信号の一部を受信装置に入力する信号パス切替装置を設けることなく、送信装置の線形化制御を行うことができるので、送信装置に対する高精度な線形化制御を維持しつつも、小型化・低消費電力化・高受信感度化が図れる。
【００１６】
【発明の実施の形態】
本発明の骨子は、アンテナを送信装置側と受信装置側のいずれか一方に切り替える送受信切替部を介して漏洩する送信漏洩信号を受信装置にて復調させ、復調後の送信漏洩信号に基づいて送信装置の線形化制御を行うことである。
【００１７】
以下、本発明の実施の形態について、図面を参照して詳細に説明する。
図１は、本発明の一実施の形態に係る無線通信装置の構成を示すブロック図である。
【００１８】
この図において、本実施の形態に係る無線通信装置１００は、送信装置１０１と、受信装置１０２と、送信装置１０１と受信装置１０２で共通に使用する局部発振信号を発生する局部発振器１０３と、送信装置１０１の線形化制御を行う送信信号制御部１０４と、無線信号の送受信に使用されるアンテナ１０５と、アンテナ１０５を送信装置１０１側と受信装置１０２側のいずれか一方に切り替える送受信切替部１０６と、送信時に受信装置１０２で復調された送信漏洩信号Ｔ２を送信信号制御部１０４に入力する信号切替部１０７と、送受信切替部１０６と信号切替部１０７に対する切り替え制御を行う制御部１０８とを備えている。
【００１９】
送信装置１０１は、図２のブロック図に示すように、電力増幅器１１０と可変利得増幅器１１１を備えている。電力増幅器１１０はバイアス電圧の調整が可能となっており、可変利得増幅器１１１は利得調整が可能となっている。制御部１０８は、送信時には、送受信切替部１０６を送信装置１０１側に切り替える制御を行うとともに、信号切替部１０７に対して受信装置１０２からの復調信号が送信信号制御部１０４側へ流れるように切り替える制御を行う。一方、受信時には、送受信切替部１０６を受信装置１０２側に切り替える制御を行うとともに、信号切替部１０７に対して受信装置１０２からの復調信号が出力端子Ｅ側へ流れるように切り替える制御を行う。
【００２０】
次に、本実施の形態に係る無線通信装置１００の動作について説明する。
送信時には、送信信号制御部１０４に対して、送信入力端子Ａを介して送信信号Ｔ１が入力され、また信号切替部１０７に送信漏洩信号Ｔ２が入力される。この場合、送受信切替部１０６を送信装置１０１側に切り替えても僅かではあるが受信装置１０２側に送信信号の一部が洩れ出てしまう。この信号が送信漏洩信号Ｔ２である。送信信号制御部１０４は、入力された送信漏洩信号Ｔ２に基づいて送信装置１０１の線形化制御を行う。すなわち、送信装置１０１を構成する電力増幅器１１０のバイアス電圧の制御や可変利得増幅器１１１の利得制御等を行う。
【００２１】
送信装置１０１は、送信信号制御部１０４により入力される送信信号Ｔ１を変調して送受信切替部１０６へ出力する。このとき、送受信切替部１０６の送信装置１０１側の端子Ｂとアンテナ１０５側の端子Ｃとが接続されているので、送信信号Ｔ１がアンテナ１０５へ流れる。また、送受信切替部１０６を介して受信装置１０２側の端子Ｄへ漏洩する送信漏洩信号Ｔ２は、受信装置１０２に入力される。送信漏洩信号Ｔ２は受信装置１０２にて復調された後、信号切替部１０７によって送信信号制御部１０４に入力される。
【００２２】
一方、受信時には、アンテナ１０５で捉えられた無線信号が送受信切替部１０６を介して受信装置１０２に入力される。このとき、送受信切替部１０６のアンテナ１０５側の端子Ｃと受信装置１０２側の端子Ｄが接続されているので、受信装置１０２に入力された無線信号は復調されて、受信信号Ｒ１として信号切替部１０７を介して受信出力端子Ｅより出力される。
【００２３】
このように、本実施の形態の無線通信装置１００よれば、アンテナ１０５を送信装置１０１側と受信装置１０２側のいずれか一方に切り替える送受信切替部１０６を介して漏洩する送信漏洩信号Ｔ２を受信装置１０２の復調機能で復調し、復調後の送信漏洩信号Ｔ２に基づいて送信装置１０１の線形化制御を行うので、送信装置１０１に対する高精度な線形化制御を維持しつつも、小型化・低消費電力化・高受信感度化が図れる。
【００２４】
なお、上記実施の形態に係る無線通信装置１００を、送信装置と受信装置で同一周波数を使用する無線通信方式を採用した移動局あるいは基地局の全てに用いることができ、これによって装置の小型化・低消費電力化・高受信感度化を実現することができる。
【００２５】
【発明の効果】
以上説明したように、本発明によれば、送信装置の送信信号の一部を分岐させる信号パス分岐装置及び信号パス分岐装置で分岐された送信信号の一部を受信装置に入力する信号パス切替装置を用いることなく、送信装置の線形化制御を行うことができるので、送信装置に対する高精度な線形化制御を維持しつつ、小型化・低消費電力化・高受信感度化が可能な無線通信装置を提供することができる。
【図面の簡単な説明】
【図１】本発明の一実施の形態に係る無線通信装置の構成を示すブロック図
【図２】本発明の一実施の形態に係る無線通信装置の送信装置の一部構成を示すブロック図
【符号の説明】
１００  無線通信装置
１０１  送信装置
１０２  受信装置
１０３  局部発振器
１０４  送信信号制御部
１０５  アンテナ
１０６  送受信切替部
１０７  信号切替部
Ａ  送信入力端子
Ｅ  受信出力端子
【図１】
2004221862.tif 000003
【図２】
2004221862.tif 000004